(57)【特許請求の範囲】
【請求項１】
グループ分けされた複数の演奏パートを含む楽音データを読み出すための読み出し手段と、
各グループに対応して設けられ、各々が編集信号を受信できる複数の受信手段と、
前記複数の受信手段で受信された編集信号に基づいて、どのグループが指定されたかを認識するグループ指定手段と、
前記読み出し手段により読み出される楽音データのうち、前記グループ指定手段により指定されたグループの中の少なくとも１つの演奏パートの楽音データを、前記編集信号に応じてリアルタイムで編集する編集手段と
を有する楽曲編集装置。
【請求項２】
前記編集手段は、対象の楽音データが発音中のデータであるときには、前記編集信号に応じて該楽音データに効果を付与し、対象の楽音データが発音前のデータであるときには、前記編集信号に応じて該楽音データの発音開始を指示する請求項１記載の楽曲編集装置。
【発明の詳細な説明】
【０００１】
【発明の属する技術分野】
本発明は楽曲編集装置に関し、特に自動演奏により演奏される楽曲を編集することができる楽曲編集装置に関する。
【０００２】
【従来の技術】
自動演奏装置は、例えばフロッピディスクに記憶されている楽音データ（演奏データ）を読み出し、当該楽音データに応じた楽音信号を生成し、自動演奏を行う。楽曲編集装置は、自動演奏装置により演奏される楽曲を編集する。楽曲の編集は、楽曲のテンポを変えたり、楽曲の音量を変えることである。操作者は、楽曲編集装置に備えられたスイッチを操作することにより、楽曲全体の音量やテンポを変えることができる。
【０００３】
【発明が解決しようとする課題】
自動演奏装置は、オーケストラを模倣した演奏を行うことができる。すなわち、ピアノやバイオリン等の複数の演奏パート（以下、パートと呼ぶ）を含む楽曲を演奏することができる。オーケストラを指揮する指揮者は、ピアノやバイオリン等の各パートの演奏方法を任意に修正するための指示をすることができる。
【０００４】
自動演奏装置により演奏される楽曲についても、指揮者のような感覚で編集を行いたいとの要求がある。しかし、楽曲編集装置は、操作者がスイッチを操作することにより、楽曲全体の音量やテンポを変えることができるだけであり、各パートについて各々音量を修正することができない。
【０００５】
また、指揮者のように自分の好みに合わせて、楽曲をリアルタイムで編集したい場合には、楽団員を集めて指揮をしなければならない。しかし、楽団員をその場に集めることは困難または煩雑である。
【０００６】
本発明の目的は、自動演奏される楽曲を１または複数のパートを含むグループ毎にリアルタイムで編集することができる楽曲編集装置を提供することである。
【０００７】
本発明の他の目的は、楽団員がいなくても指揮者の気分で楽曲を編集することができる楽曲編集装置を提供することである。
【０００８】
【課題を解決するための手段】
本発明の楽曲編集装置は、グループ分けされた複数の演奏パートを含む楽音データを読み出すための読み出し手段と、各グループに対応して設けられ、各々が編集信号を受信できる複数の受信手段と、前記複数の受信手段で受信された編集信号に基づいて、どのグループが指定されたかを認識するグループ指定手段と、前記読み出し手段により読み出される楽音データのうち、前記グループ指定手段により指定されたグループの中の少なくとも１つの演奏パートの楽音データを、前記編集信号に応じてリアルタイムで編集する編集手段とを有する。
【０００９】
楽音データは複数の演奏パートを含む。楽音データを演奏パート単位で分け、複数のグループを設定する。１つのグループは、１または複数の演奏パートを有する。複数の受信手段は、それぞれ複数のグループに対応して設けられ、各々が編集信号を受信することができる。当該複数の受信手段で受信された編集信号に基づいて、どのグループが指定されたかを認識することができる。さらに、当該編集信号に応じて、指定されたグループの中の少なくとも１つの演奏パートの楽音データをリアルタイムで編集することができる。所望のグループのみをリアルタイムで編集することができる。
【００１０】
【発明の実施の形態】
図１は、本発明の実施例による楽曲編集装置の外観図である。
【００１１】
指揮者１は、頭にヘッドバンド２を装着し、手に指揮棒３を持つ。ヘッドバンド２は、指揮者１の目線方向に赤外線を放射する。指揮棒３は、指揮棒３の動きに応じた信号および指揮棒３に備えられたスイッチの状態に応じた信号を電波として送出する。
【００１２】
図２（Ａ）は、ヘッドバンド２の構成を示す図である。ヘッドバンド２は、正面方向に赤外線を放射するための赤外線発信機１１を有する。
【００１３】
図２（Ｂ）は、指揮棒３の構成を示す図である。指揮棒３は、指揮棒３の電源である電池１２と、指揮棒３の加速度および動きの方向を検知するジャイロセンサ１４と、操作用スイッチ１５と、ジャイロセンサ１４のセンサ信号およびスイッチ１５のスイッチ状態を電波として送信するための送信機１３を有する。
【００１４】
図１に戻り、３つのグループ装置Ｇ１，Ｇ２，Ｇ３は、それぞれが楽器群（楽団員）に相当し、１または複数のパートを有する。例えば、グループ装置Ｇ１は弦楽器のグループであり、グループ装置Ｇ２は管楽器のグループであり、グループ装置Ｇ３はその他のグループである。
【００１５】
グループ装置Ｇは、３つに限定されず、３以上でも３以下でもよい。以下、グループ装置が３つの場合を例に説明する。
【００１６】
グループ装置Ｇ１，Ｇ２，Ｇ３の各位置は、各楽器群（楽団員）の位置に相当する。指揮者１から見て、グループ装置Ｇ１は左に位置し、グループ装置Ｇ２は中央に位置し、グループ装置Ｇ３は右に位置する。各グループ装置の位置で対応するパートの楽音が発音されるので、指揮者１は臨場感を味わうことができる。
【００１７】
グループ装置Ｇ１は、自己のグループに含まれるパート（例えば楽器種類）を表示するための表示パネルＧＣ１と、自己のグループに含まれるパートの楽音を発音するためのスピーカＧＤ１と、赤外線および電波を受信するための受信機ＧＡ１と、自己のグループの演奏状態または指揮者１の指示状態を表示するための表示ランプＧＢ１を有する。
【００１８】
表示パネルＧＣ１は、例えば「弦楽器」と表示したり、弦楽器の画像を表示したりする。例えば、ブラウン管を表示パネルＧＣ１として用いれば、画像を表示することができる。
【００１９】
スピーカＧＤ１は、自己のグループに含まれるパートの楽音を発音する。例えば、グループ装置Ｇ１が弦楽器のグループであれば、スピーカＧＤ１は弦楽器のパートの楽音を発音する。
【００２０】
グループ装置Ｇ１は、スピーカＧＤ１の他、音源を有する。音源は、複数の発音チャンネルを有し、例えばフロッピディスクから読み出された楽音データを基に楽音信号を生成する。グループに含まれるパートは、当該発音チャンネルに割り当てられる。スピーカＧＤ１は、当該楽音信号を基に発音を行う。
【００２１】
受信機ＧＡ１は、ヘッドバンド２から発せられる赤外線を受信するための受信機と、指揮棒３から発せられる電波を受信するための受信機を含む。
【００２２】
表示ランプＧＢ１は、例えばＬＥＤであり、レッドランプとグリーンランプとイエロランプを有する。レッドランプは、あるフレーズの先頭であることを示し、自己のグループが演奏（発音）開始準備状態であることを示す。グリーンランプは、自己のグループの中で発音中のパートがあることを示す。イエロランプは、ヘッドバンド２が発する赤外線を受信機ＧＡ１が受信したことを示す。指揮者１が所定のグループ装置Ｇの方向を向くと、当該グループ装置Ｇはイエロランプを点灯する。
【００２３】
グループ装置Ｇ２とＧ３は、グループ装置Ｇ１に対し、グループを構成するパートのみが異なり、構成は同じである。グループ装置Ｇ２は、表示パネルＧＣ２とスピーカＧＤ２と受信機ＧＡ２と表示ランプＧＢ２を有する。グループ装置Ｇ３は、表示パネルＧＣ３とスピーカＧＤ３と受信機ＧＡ３と表示ランプＧＢ３を有する。
【００２４】
グループ装置Ｇが発音開始準備状態になると、そのグループ装置ＧのレッドランプＧＢが点灯する。指揮者１は、レッドランプＧＢが点灯したことを確認し、その後所望のタイミングで指揮棒３を振ることにより、当該グループ装置Ｇの演奏開始を指示することができる。グループ装置Ｇが演奏を開始すると、そのグループ装置のグリーンランプＧＢが点灯する。
【００２５】
つまり、グループ装置Ｇは、指揮者１により演奏開始が指示されるまでは待機状態であり（レッドランプ点灯）、指揮棒３が振られることにより演奏開始が指示されると演奏状態になる（グリーンランプ点灯）。
【００２６】
グループ装置Ｇが演奏中において、指揮者１が、所望のグループ装置Ｇの方向を向くと、イエロランプが点灯し、そのグループ装置が指定される。その後、指揮者１が、指揮棒３を振ることにより、そのグループ装置Ｇの演奏の音量やテンポを所望のものに修正することができる。
【００２７】
例えば、指揮棒３を周期的に所定の速度で振ると、その速度に応じたテンポに演奏を修正することができる。また、指揮棒を上方または下方に振ることにより、音量を上げたり下げたりすることができる。
【００２８】
指揮棒３には、リセットスイッチが設けられている。リセットスイッチを押すと、これまでの指揮情報がリセットされる。すなわち、音量およびテンポは標準値に設定され、読み出された楽音データがそのまま発音される。
【００２９】
図３は、音量やテンポの修正を行いたいグループを指定する方法を示す図である。発音中の楽音を編集する場合を考える。指揮者１が装着するヘッドバンド２からは赤外線ＩＲが放射される。指揮者１は、グリーンランプが点灯しているグループ装置Ｇの方向を向くことにより、そのグループ装置Ｇを指定することができる。当該グループ装置の受信機ＧＡは赤外線ＩＲを受信することにより、イエロランプＧＢを点灯する。その後、指揮棒３を振ることにより、音量やテンポを変えることができる。
【００３０】
図４（Ａ）は、本実施例による楽曲編集装置の第１の構成例を示す図である。
頭部信号発信機を含むヘッドバンド２は、指揮者の頭部に装着され、赤外線ＩＲを発信する。指揮棒信号発信機を含む指揮棒３は、指揮者の手に握られ電波ＷＶを発信する。
【００３１】
グループ装置Ｇ１，Ｇ２，Ｇ３は、バス２６に接続される。指揮棒３が発信する電波ＷＶは四方に広がるので、全てのグループ装置Ｇ１，Ｇ２，Ｇ３が電波ＷＶを受信する。ヘッドバンド２が発信する赤外線ＩＲは方向性を持つので、３つのグループ装置Ｇ１，Ｇ２，Ｇ３のうちの指定されたもののみが赤外線ＩＲを受信する。
【００３２】
図４（Ｂ）は、グループ装置Ｇ１の構成を示す図である。グループ装置Ｇ１，Ｇ２，Ｇ３は、同じ構成であり、代表して、グループ装置Ｇ１の構成を示す。
【００３３】
グループ装置Ｇ１は、赤外線ＩＲを受信するための頭部信号受信機３１と、電波ＷＶを受信するための指揮棒信号受信機３２と、赤色と緑色と黄色のランプを点灯するための表示装置３３と、楽音信号を生成するための音源３４と、アナログの楽音信号を生成するためのサウンドシステム３５と、楽音信号を発音するためのスピーカ３６を有する。
【００３４】
頭部信号受信機３１は、ヘッドバンド２が発する赤外線ＩＲを受信すると、その旨の信号をバス２６へ出力する。指揮棒受信機３２は、指揮棒３が発する電波ＷＶを受信すると、その電波ＷＶに応じた信号をバス２６へ出力する。
【００３５】
表示装置３３は、バス２６から表示信号を受け取り、当該表示信号に応じて赤色、緑色または黄色のランプを点灯する。
【００３６】
音源３４は、バス２６から楽音パラメータを受け取り、当該楽音パラメータに応じた楽音信号を生成する。音源３４は、対応するグループに含まれるパートの全ての楽音信号を生成する。１つのパートに１つの発音チャンネルを割り当ててもよい。ただし、パートと発音チャンネルの数は必ずしも同じでなくてよい。
【００３７】
サウンドシステム３５は、Ｄ／Ａ変換器およびアンプを有し、デジタル形式の楽音信号をアナログ形式の楽音信号に変換し、当該アナログ形式の楽音信号を増幅する。スピーカ３６は、アナログ形式の楽音信号の発音を行う。
【００３８】
バス２６には、グループ装置Ｇ１，Ｇ２，Ｇ３の他、ＲＯＭ２１、ＲＡＭ２２、ＣＰＵ２３、操作子２４、および楽音データ読み出し機器２５が接続される。
【００３９】
ＲＯＭ２１は、コンピュータプログラムおよび各種パラメータを記憶する。ＲＡＭ２２は、レジスタおよびバッファを含むＣＰＵ２３のワーキングエリアである。ＣＰＵ２３は、ＲＯＭ２１に記憶されているコンピュータプログラムに応じて、処理を行い、またバス２６を介してその他の装置の制御を行う。
【００４０】
楽音データ読み出し機器２５は、例えばフロッピディスク、ハードディスク、またはＣＤ−ＲＯＭに記憶されている楽音データを読み出す。ＣＰＵ２３は、当該楽音データを基に楽音パラメータを生成し、グループ装置Ｇ１、Ｇ２またはＧ３に供給する。例えば、弦楽器のパートについての楽音パラメータはグループ装置Ｇ１に供給し、管楽器のパートについての楽音パラメータはグループ装置Ｇ２に供給する。
【００４１】
操作子２４は、楽曲編集装置の設定を行うための操作子である。指揮者は、操作子２４を操作することにより、楽曲全体の演奏開始を指示したり、グループ装置Ｇ１，Ｇ２，Ｇ３のそれぞれに含まれるパートを設定または修正することができる。
【００４２】
なお、実施例では、グループ装置それぞれが音源３４、サウンドシステム３５、スピーカ３６を別個に有していたが、このような構成に限らず、別の形態でもよい。例えば、複数のグループで音源、サウンドシステム、スピーカを共有してもよいし、音源をグループ毎に設け、サウンドシステムとスピーカを共有してもよい。
【００４３】
図５は、ＣＰＵが処理するメインルーチンの処理を示すフローチャートである。
【００４４】
ステップＳＡ１では、レジスタやバッファ等を初期化し、楽曲編集装置の初期設定を行う。
【００４５】
ステップＳＡ２では、自動演奏の各種設定を行う。例えば、楽曲を構成するパートのグループ分けを行う。例えば、グループ１には、弦楽器を指定したり、または第１および第２バイオリンを指定することができる。指揮者がスタートスイッチを押すと、以下の処理へ進み、自動演奏を行う。
【００４６】
ステップＳＡ３では、楽音データの読み出しを行う。楽音データは、例えばフロッピディスクから順次読み出される。
【００４７】
ステップＳＡ４では、新規楽音の発音を指示するグループがあるか否かをチェックする。すなわち、読み出した楽音データが、あるグループにおいて演奏の単位であるフレーズの先頭であるか否かをチェックする。フレーズの先頭であるときには、ステップＳＡ１２へ進む。
【００４８】
ステップＳＡ１２では、当該グループに対応するレッドランプを点灯し、指揮者に当該グループが演奏開始の待機状態にあることを知らせる。
【００４９】
ステップＳＡ１３では、指揮棒を振ることにより発生する検出信号を受信したか否かをチェックする。指揮者は、指揮棒を振ることにより、待機状態にあるグループの演奏開始を指示することができる。
【００５０】
当該検出信号を受信しないときには、演奏開始を指示されていないので、ステップＳＡ４、ＳＡ１２、ＳＡ１３の処理をループし、待機状態を維持する。当該検出信号を受信すると、ステップＳＡ７へ進み、読み出した楽音データに応じた楽音信号の発音処理を行う。その後、ステップＳＡ３へ戻り、次の楽音データの読み出しを行う。
【００５１】
ステップＳＡ４において、読み出した楽音データがフレーズの頭でなくフレーズの途中であると判断されると、ステップＳＡ５へ進む。
【００５２】
ステップＳＡ５では、発音中のグループがあるか否かをチェックする。グループの中の１部のパートのみが発音中である場合も発音中であると判断される。発音中のグループがあるときにはステップＳＡ８へ進み、発音中のグループがないときにはステップＳＡ８をバイパスしてステップＳＡ６へ進む。
【００５３】
ステップＳＡ８では、該グループに対応するグリーンランプを点灯し、指揮者に該グループが発音中であることを知らせる。その後、ステップＳＡ６へ進む。
【００５４】
ステップＳＡ６では、グループの指定があるか否かをチェックする。グループの指定は、指揮者が所望のグループ装置の方向に向くことにより行う。当該グループ装置には、指揮者の頭部に設けられたヘッドバンドから発信される赤外線が照射される。グループ装置は赤外線を受信することにより、自己が指定されたことを認識する。
【００５５】
グループ指定がないときには、ステップＳＡ７へ進み、読み出した楽音データそのものを基に楽音信号を生成し、発音処理を行う。グループ指定がなければ、指揮者からの指示がないことを意味するので、楽音データを加工することなく発音処理を行う。
【００５６】
グループ指定があるときには、ステップＳＡ１４へ進む。ステップＳＡ１４では、該グループに対応するイエロランプを点灯し、指揮者にグループ指定が行われたことを知らせる。
【００５７】
ステップＳＡ９では、指揮棒を操作することにより検出される検出信号があるか否かをチェックする。例えば、指揮棒を振ったり、指揮棒に設けられているスイッチを操作すると、指揮棒は電波を発信する。グループ装置は、当該電波を受信することにより検出信号を認識する。
【００５８】
検出信号がないときには、指揮棒が操作されていないことを意味するので、読み出した楽音データそのものを基に楽音信号を生成し、発音処理を行う。指揮棒が操作されなければ、指揮者からの指示がないことを意味するので、楽音データを加工することなく発音処理を行う。
【００５９】
検出信号があるときには、指揮棒が操作されたことを意味するので、ステップＳＡ１０へ進む。ステップＳＡ１０では、検出信号の種類を判別する。検出信号の種類は、例えば指揮棒を振ることにより生成される信号や指揮棒に設けられたスイッチを操作することにより生成される信号等である。この処理の詳細は、後に図６のフローチャートを参照しながら説明する。
【００６０】
ステップＳＡ１１では、指定されたグループに上記の検出信号に応じた効果を付与する。効果の付与は、例えば音量の設定やテンポの設定である。この処理の詳細は、後に図７を参照しながら説明する。
【００６１】
その後、ステップＳＡ７へ進み、効果を付与した楽音データを基に楽音信号を生成し、発音処理を行う。指揮者は、指揮したいグループ装置の方向を向いて、指揮棒を操作することにより、当該グループに対して所望の効果を付与した楽音を発音させることができる。
【００６２】
図６は、図５のステップＳＡ１０における信号種類判別処理の詳細を示すフローチャートである。
【００６３】
ステップＳＢ１では、指揮棒が発した信号の解析を行う。ステップＳＢ２では、当該信号が指揮棒を周期的かつ連続的に振ったことにより生成される信号であるか否かをチェックする。
【００６４】
周期的かつ連続的な信号であれば、ステップＳＢ５へ進む。ステップＳＢ５では、当該周期をリズムに換算し、テンポ信号を生成する。その後、ステップＳＢ７において、当該テンポ信号に応じたテンポを指定グループに設定するため、当該テンポ信号を効果付与処理部に出力し、図５のフローチャートの処理へ戻る。効果付与処理部は、例えばＣＰＵ２３の処理によって楽音に効果を付与する処理ブロックであり、図７に示すフローチャートの処理を行う。図７のフローチャートは、後に説明する。
【００６５】
周期的かつ連続的な信号でないときには、ステップＳＢ３へ進む。ステップＳＢ３では、当該信号が指揮棒を単発的かつ上方または下方へ振ったことにより生成される信号であるか否かをチェックする。そのような信号であるときには、ステップＳＢ６へ進む。
【００６６】
ステップＳＢ６では、指揮棒の振りの速度（信号の強さ）と指揮棒の振りの上下方向を基に音量の加減量に換算し、音量信号を生成する。その後、ステップＳＢ７において、当該音量信号に応じた音量を指定グループに設定するため、当該音量信号を効果付与処理部に出力し、図５のフローチャートの処理へ戻る。効果付与処理部において、音量を設定する処理については後に図７のフローチャートを参照しながら説明する。
【００６７】
当該信号が周期的な振りでもなく単発的な振りでもないときには、ステップＳＢ４へ進む。ステップＳＢ４では、当該信号がリセット信号であるか否かをチェックする。リセット信号は、指揮棒に設けられているリセットスイッチを押すことにより生成される。
【００６８】
当該信号がリセット信号であるときには、ステップＳＢ７へ進み、今まで指示した効果を全て解除するため、当該リセット信号を効果付与処理部に出力し、図５のフローチャートの処理へ戻る。効果付与処理部において、リセットを行う処理については後に図７のフローチャートを参照しながら説明する。
【００６９】
ステップＳＢ４においてリセット信号でないと判断されたときには、指揮棒が無意味に操作されたことを意味するので、何も信号を出力せずに、図５のフローチャートの処理へ戻る。
【００７０】
図７は、図５のステップＳＡ１１において指定グループに効果を付与する処理の詳細を示すフローチャートである。
【００７１】
ステップＳＣ２では、テンポ信号の入力があるか否かをチェックする。テンポ信号は、指揮者が周期的に指揮棒を振ることにより入力される。
【００７２】
テンポ信号の入力があるときには、ステップＳＣ６へ進む。ステップＳＣ６では、当該テンポ信号に従って対象グループのテンポの増減を設定する。指揮者が指揮棒を速く振ればテンポが速くなり、指揮棒を遅く振ればテンポが遅くなる。その後、図５のフローチャートの処理へ戻る。
【００７３】
フレーズの終わりにおいてテンポを遅くするように指示すれば、フレーズの終わりを自由に引き延ばすことができる。
【００７４】
なお、対象グループが演奏するフレーズが短い場合には、対象グループのみテンポを変えてもよいが、フレーズが長い場合に対象グループのみテンポを変えると、時間の経過と共に対象グループとその他のグループとのタイミングのずれが大きくなってしまい好ましくない。テンポの増減を設定する場合には、対象グループのみではなく、全てのグループについてテンポを増減するようにしてもよい。
【００７５】
また、指定されたグループだけではなく、それに付随するグループまたはパートについてもテンポを増減してもよい。
【００７６】
ステップＳＣ２においてテンポ信号の入力がないときには、ステップＳＣ３へ進む。ステップＳＣ３では、音量信号の入力があるか否かをチェックする。音量信号は、指揮者が指揮棒を単発的に上方または下方に振ることにより入力される。
【００７７】
音量信号の入力があるときには、ステップＳＣ５へ進む。ステップＳＣ５では、当該音量信号に従って対象グループの音量の増減を設定する。指揮者が指揮棒を上方に振れば音量が大きくなり、指揮棒を下方に振れば音量が小さくなる。音量は、指揮者が指定したグループのみが変化する。その後、図５のフローチャートの処理へ戻る。
【００７８】
ステップＳＣ３においてテンポ信号の入力も音量信号の入力もないと判断されたときには、ステップＳＣ８へ進む。ステップＳＣ８では、リセット信号の入力があるか否かをチェックする。リセット信号は、指揮者が指揮棒に設けられたリセット信号を押すことにより入力される。
【００７９】
リセット信号の入力があるときには、ステップＳＣ４へ進む。ステップＳＣ４では、対象グループの楽音発音を標準値に設定する。すなわち、テンポおよび音量等の効果を何も付与しない状態に戻す。例えば、以前の指揮者の操作により音量が大きめに設定されている場合には、指揮者がリセットボタンを押すことにより、音量を標準の値に戻すことができる。スピーカからは、読み出した楽音データそのものに基づき生成された楽音が発音される。その後、図５のフローチャートの処理へ戻る。
【００８０】
ステップＳＣ８においてテンポ信号、音量信号、リセット信号のいずれの入力もないと判断されたときには、無意味な信号が入力されたことを意味するので、何の処理もせずに図５のフローチャートへ戻る。
【００８１】
以上のように、指揮者が指揮棒を操作することにより、指定したグループのテンポまたは音量等の修正を指示することができる。また、リセットボタンを押すことにより、当該修正を解除することができる。
【００８２】
なお、指揮棒を操作することにより制御するパラメータはテンポや音量に限定されない。例えば、リバーブ等の効果を制御するようにしてもよい。
【００８３】
以上は、指揮者が指揮棒を操作することにより、楽音の編集を行う場合を説明したが、指揮棒を用いる場合に限定されない。指揮棒以外の操作子を用いて、楽音の編集を行うこともできる。次に、指揮棒に代わる操作子の例を示す。
【００８４】
図８は、本発明の他の実施例による操作子の外観図である。
エルボセンサ５１Ｒは、角速度センサｂ１とｂ２を有し、指揮者１の右肘に装着され、指揮者１の右肘の動作を検出する。角速度センサｂ１は、前腕部の角速度を検出し、角速度センサｂ２は上腕部の角速度を検出する。
【００８５】
エルボセンサ５１Ｌは、角速度センサｂ３とｂ４を有し、指揮者１の左肘に装着され、指揮者１の左肘の動作を検出する。角速度センサｂ３は前腕部の角速度を検出し、角速度センサｂ４は上腕部の角速度を検出する。
【００８６】
グリップ型操作子５２Ｒは、指揮者１の右手により把持され、各指により押圧される圧力センサＳＲ１〜ＳＲ８を有する。
【００８７】
ウエストベルトＢＬは、指揮者１のウエストに装着され、操作子信号発信機ＭＣを有する。発信機ＭＣは、ケーブルｃを介して、エルボセンサ５１Ｒと５１Ｌおよびグリップ型操作子５２Ｒに接続され、各センサ値に応じた電波を発信する。
【００８８】
上記の操作子の他、３軸ジャイロセンサを用いて、背中の曲げ角度または頭部や腰の動きを検出するためのセンサ等が設けられる。指揮者１の体の各所に操作子を取り付けることにより（いわゆるミブリ）、指揮者１の細かな姿勢を電波として、グループ装置に向けて発信することができる。グループ装置は当該電波を受信し、グループを指定したり、楽曲の編集を行う。次に、指揮者の動きとそれに対応する編集の例を説明する。
【００８９】
指揮者は、体の向きを変えることによりグループを指定することができる。グループ装置は、指揮者の姿勢の経過を基に楽曲の編集を行う。例えば、指揮者が腕を反復動作すると、テンポが指定される。腕の反復動作の周期がテンポの速さに相当する。
【００９０】
指揮者の体に多数のセンサを装着することにより、指揮者の細かな姿勢を検出することができる。指揮者は、多種類の姿勢をとることにより、１度の動作で多数の楽音パラメータを制御することができる。
【００９１】
例えば、指揮者が前のめりで視線を前に落とし、小さな動きをしたときには、絶対的に音量を小さくし、高い音は相対的に大きくし、音の長さを短くしアクセントを強くする。
【００９２】
また、指揮者が背筋を立て、大きく腕を動かしたときに、音量を大きくし、テンポを速くし、管楽器の音を割れるような音にする。さらに、低音の出だしをやや早めにしてもよい。
【００９３】
以上のように、指揮者がヘッドバンド、指揮棒、その他の操作子を操作することにより、グループを指定し、所望の編集を行うことができる。グループは、１または複数のパート（発音チャンネル）を有する。楽曲に含まれるパートをグループ分けすることにより、所望のグループのみをリアルタイムで編集することができる。
【００９４】
また、グループ装置が楽団員に相当するので、実際に楽団員がその場にいなくても、指揮者の気分を味わうことができる。
【００９５】
使用者は、指揮者の感覚で指揮棒または体を動かすことにより、楽曲を編集することができるので、自分の好みに合わせた微妙な編集が可能である。
【００９６】
なお、指揮棒やヘッドバンド等は、電波や赤外線によりグループ装置に信号を伝える場合を説明したが、ケーブルで両者を接続して電気信号により信号を伝えてもよい。
【００９７】
以上実施例に沿って本発明を説明したが、本発明はこれらに制限されるものではない。例えば、種々の変更、改良、組み合わせ等が可能なことは当業者に自明であろう。
【００９８】
【発明の効果】
以上説明したように、本発明によれば、グループを指定し、グループ単位で楽音データをリアルタイムで編集することができる。また、編集信号に応じて楽音データを編集することができるので、自分の好みに合わせた微妙な編集が可能である。
【図面の簡単な説明】
【図１】  本発明の実施例による楽曲編集装置の外観図である。
【図２】  図２（Ａ）はヘッドバンドの構成を示す図であり、図２（Ｂ）は指揮棒の構成を示す図である。
【図３】  音量やテンポの修正を行いたいグループを指定する方法を示す図である。
【図４】  図４（Ａ）は本実施例による楽曲編集装置の第１の構成例を示す図であり、図４（Ｂ）はグループ装置の構成を示す図である。
【図５】  ＣＰＵが処理するメインルーチンの処理を示すフローチャートである。
【図６】  図５のステップＳＡ１０における信号種類判別処理の詳細を示すフローチャートである。
【図７】  図５のステップＳＡ１１において指定グループに効果を付与する処理の詳細を示すフローチャートである。
【図８】  本発明の他の実施例による操作子の外観図である。
【符号の説明】
１  指揮者、    ２  ヘッドバンド、    ３  指揮棒、    Ｇ  グループ装置、    ＧＡ  受信機、    ＧＢ  表示ランプ、    ＧＣ  表示パネル、    ＧＤスピーカ、    １１  赤外線発信機、    １２  電池、    １３  送信機、  １４  ジャイロセンサ、    １５  操作用スイッチ、    ２１  ＲＯＭ、    ２２  ＲＡＭ、    ２３  ＣＰＵ、    ２４  操作子、    ２５  楽音データ読み出し機器、    ２６  バス、    ３１  頭部信号受信機、    ３２  指揮棒信号受信機、    ３３  表示装置、    ３４  音源、    ３５  サウンドシステム、    ３６  スピーカ、    ５１  エルボセンサ、    ５２  グリップ型操作子、    ＢＬ  ウエストベルト、    ＭＣ  発信機
【図１】
0003646416.tif 000002
【図２】
0003646416.tif 000003
【図３】
0003646416.tif 000004
【図４】
0003646416.tif 000005
【図５】
0003646416.tif 000006
【図６】
0003646416.tif 000007
【図７】
0003646416.tif 000008
【図８】
0003646416.tif 000009